(57)【要約】【課題】隣り合う間仕切パネル間の対向側面間における遮音性を向上させる。【解決手段】部屋の天井または天井付近に配設された左右方向を向くレールに、左右方向を向く複数の間仕切パネルを、前記レールに沿って移動自在として装着し、隣り合う間仕切パネルＰ２，Ｐ３の対向側面同士を衝合することにより、部屋を仕切るようにした移動間仕切装置において、前記対向側面を構成する側枠８を、前後方向に複数個に分割された各側枠部材１１，１２を、緩衝材１５を介して連設し、一体として形成したものとする。【選択図】        図３
2004239018.tif 000002
【特許請求の範囲】
【請求項１】
部屋の天井または天井付近に配設された左右方向を向くレールに、左右方向を向く複数の間仕切パネルを、前記レールに沿って移動自在として装着し、隣り合う間仕切パネルの対向側面同士を衝合することにより、部屋を仕切るようにした移動間仕切装置において、前記対向側面を構成する側枠を、前後方向に複数個に分割された各側枠部材を、緩衝材を介して連設し、一体として形成したものとしたことを特徴とする移動間仕切装置。
【請求項２】
前記連設部を、各側枠部材から延出させた連設片を、互いに対向させるとともに、対向する連設片で緩衝材を挾着させたものとしたことを特徴とする請求項１記載の移動間仕切装置。
【請求項３】
前記側枠において上下方向に延びる溝部の底部を、前記連設部をもって形成したことを特徴とする請求項１または２に記載の移動間仕切装置。
【請求項４】
前記側枠を形成する複数個の側枠部材の少なくとも１以上の内部の空隙に、吸音材を挿着したことを特徴とする請求項１〜３のいずれかに記載の移動間仕切装置。
【発明の詳細な説明】
【０００１】
【発明の属する技術分野】
本発明は、移動間仕切装置に係わり、特に部屋の天井部分に設けられたレールに沿って移動する複数の間仕切パネルにより、部屋を仕切るようにした移動間仕切装置の遮音性を向上させる技術に関する。
【０００２】
【従来の技術】
移動間仕切装置は、たとえば、実用新案文献１、特許文献１に示されるように公知である。これらの移動間仕切装置は、いずれも隣り合う間仕切パネルの対向側面同士を磁力を利用して可及的に密着させることにより、遮音性能を向上させようとするものである。
【０００３】
【実用新案文献１】
実公昭５８−５３９１９号公報
【特許文献１】
特開２０００−１０４４４１号公報
【０００４】
【発明が解決しようとする課題】
本発明者は、移動間仕切装置の遮音性について種々研究した結果、高度の遮音性を得るには、隣り合う間仕切パネル間に隙間を生じないようにするばかりでなく、両パネルの対向側面を構成する側枠自体を介して伝播する音についても、考慮しなければならないとの知見を得た。
本発明は、かかる知見に基づいて、側枠自体を改良し、高度の遮音性を備える移動間仕切装置を提供することを目的とする。
【０００５】
【課題を解決するための手段】
本発明によると、前記課題は、次のようにして解決される。
（１）  部屋の天井または天井付近に配設された左右方向を向くレールに、左右方向を向く複数の間仕切パネルを、前記レールに沿って移動自在として装着し、隣り合う間仕切パネルの対向側面同士を衝合することにより、部屋を仕切るようにした移動間仕切装置において、前記対向側面を構成する側枠を、前後方向に複数個に分割された各側枠部材を、緩衝材を介して連設し、一体として形成したものとしたことを特徴とする移動間仕切装置とする。
【０００６】
（２）  上記（１）項において、前記連設部を、各側枠部材から延出させた連設片を、互いに対向させるとともに、対向する連設片で緩衝材を挾着させたものとする。
【０００７】
（３）  上記（１）項または（２）項において、前記側枠において上下方向に延びる溝部の底部を、前記連設部をもって形成する。
【０００８】
（４）  上記（１）項〜（３）項のいずれかにおいて、前記側枠を形成する複数個の側枠部材の少なくとも１以上の内部の空隙に、吸音材を挿着する。
【０００９】
【発明の実施の形態】
図１は、本発明の一実施形態の移動間仕切装置の正面図、図２は、図１におけるＩＩ〜ＩＩ線拡大横断面図、図３は、同じくＩＩＩ〜ＩＩＩ線拡大横断面図である。
なお、図１において紙面の表面側を「前方」、裏面側を「後方」として、以下説明する。
【００１０】
図１に示すように、部屋（１）の天井（２）には、左右方向に長いレール（３）が配設されている。レール（３）には、吊支杆（４）の上端部に設けられたローラ（図示略）が転動自在に遊嵌され、吊支杆（４）によって吊支された間仕切パネル（Ｐ１）（Ｐ２）（Ｐ３）は、レール（３）に沿って左右方向に移動することができるようになっている。
【００１１】
各間仕切パネル（Ｐ１）（Ｐ２）（Ｐ３）は、同一構成であって、図２に示すように、間仕切パネル（Ｐ１）の左右端近傍には、それぞれ基枠（５）（６）が配設され、この各基枠（５）（６）の外側面に、それぞれ隣り合う間仕切パネルに対する対向側面を構成する側枠（７）（８）が取り付けられ、これら左右の側枠（７）（８）間の前後部に、それぞれパネル板（９）（１０）を取り付けて形成されている。
【００１２】
本発明は、前記対向側面を構成する側枠（７）（８）を前後方向に複数個に分割するとともに、分割された各側枠部材（１１）〜（１４）を、緩衝材（１５）（１６）を介して連設してあることが特徴である。
【００１３】
図２において、間仕切パネル（Ｐ１）の右側端部について説明すれば、次のとおりである。
平面視方形をなす上下方向を向く中空管状の基枠（６）の外側面には、緩衝材（１７）を介して、上下方向を向くアルミニウム製の幅広な中央側枠部材（１１）が、止めねじ（１８）によって止着されている。
【００１４】
前記中央側枠部材（１１）は、前後端に平面視山形の外側に向けて突出する凸部（１９）（１９）を備え、両凸部（１９）（１９）間には、前記基枠（６）とほぼ同幅の中央溝部（２０）が形成され、この中央溝部（２０）の底部は二重構造となっており、その中央で、前記止めねじ（１８）によって基枠（６）に止着されている。
【００１５】
前記基枠（６）の前後側面には、平面視が２段Ｌ字状に屈曲された上下方向を向く連結部材（２１）（２１）が、緩衝材（２２）を介して止めねじ（２３）によって止着されている。前記止めねじ（２３）は、音の伝播を防ぐために、頭部を除く周囲がゴム（２３ａ）で被覆されている。
【００１６】
前記中央側枠部材（１１）の前後には、端部側枠部材（１２）（１２）が配設されている。前記端部側枠部材（１２）（１２）は、平面視が内向コ字状部（１２ａ）の内側一端から中央側枠部材（１１）に向けて連設片（１２ｂ）が延出された形状の上下方向を向くアルミニウム製のものであって、緩衝材（２４）を介して止めねじ（２５）によって前記連結部材（２１）に止着されている。
【００１７】
前記中央側枠部材（１１）における凸部（１９）（１９）の基部から、端部側枠部材（１２）（１２）に向けて連設片（１１ａ）（１１ａ）が延出され、この連設片（１１ａ）と、端部側枠部材（１２）における連設片（１２ｂ）とは、相互に対向し、両者の間には、緩衝材（１５）が挾着されている。
【００１８】
パネル板（９）（１０）は、石膏ボード等の遮音材（２６）（２７）を重合固着し、この表面に化粧板（２８）を貼着して形成されている。
このパネル板（９）（１０）は、その右端部（９ａ）（１０ａ）を、端部側枠部材（１２）における内向コ字状部（１２ａ）の内部において、止めねじ（２９）によって連結部材（２１）に止着されている。
【００１９】
中央側枠部材（１１）と、その前後に緩衝材（１５）を介して連設された２つの端部側枠部材（１２）（１２）とからなる側枠（８）は、基枠（６）と２つの連結部材（２１）（２１）を介して、一体化されており、中央側枠部材（１１）における前後端の凸部（１９）（１９）の内部には、ポリウレタンなどからなる吸音材（３０）が挿着されている。
【００２０】
一方、間仕切パネル（Ｐ１）の左側端部について説明すれば、次のとおりである。
平面視方形をなす上下方向を向く中空管状の基枠（５）の外側面には、緩衝材（３１）を介して、上下方向を向くアルミニウム製の幅広な中央側枠部材（１３）が、止めねじ（３２）によって止着されている。
【００２１】
前記中央側枠部材（１３）は、中央に平面視山形の外側に向けて突出する、前記基枠（５）とほぼ同幅の中央凸部（３３）を備え、この中央凸部（３３）の底部中央で、止めねじ（３２）によって基枠（５）に止着されている。
【００２２】
前記中央凸部（３３）の前後側面には奥幅広の嵌合凹部（３４）が設けられ、この嵌合凹部（３４）に、弾性舌片（３５ａ）を備えたシール部材（３５）が嵌着されている。
【００２３】
前記中央凸部（３３）は、図３に示すように、隣接する間仕切パネル（Ｐ３）における前記中央側枠部材（１１）の中央溝部（２０）に嵌合され、前記シール部材（３５）は、前記中央凸部（３３）と中央溝部（２０）間の間隙をシールする作用をなしている。
【００２４】
前記基枠（５）の前後側面には、平面視が２段Ｌ字状に屈曲された上下方向を向く連結部材（３６）（３６）が、緩衝材（３７）を介して止めねじ（３８）によって止着されている。この止めねじ（３８）も、音の伝播を防ぐために頭部を除く周囲がゴム（３８ａ）で被覆されている。
【００２５】
前記中央側枠部材（１３）の前後には、上下方向を向くアルミニウム製の端部側枠部材（１４）（１４）が、配設されている。
【００２６】
前記端部側枠部材（１４）（１４）は、平面視において、長方形状部（３９）の外側先端に、外側に向けて突出する馬蹄形状凸部（４０）と、パネル板（９）（１０）側に向けて突出する内向コ字状部（４１）とが付設されるとともに、長方形状部（３９）の基部から中央側枠部材（１３）に向けて連設片（４２）が延設された形状を備え、この連設片（４２）をもって、緩衝材（４３）を介して前記連結部材（３６）に止めねじ（４４）によって止着されている。
【００２７】
一方、中央側枠部材（１３）の基部には、前後に配設された端部側枠部材（１４）（１４）に向けて連設片（４５）が延設され、この連設片（４５）と、端部側枠部材（１４）における連設片（４２）とは、相互に対向し、両者の間には、緩衝材（１６）が挾着されて連設部を形成している。
【００２８】
中央側枠部材（１３）と端部側枠部材（１４）（１４）との間に形成された溝部（４６）には、隣接する間仕切パネル（Ｐ３）の側枠（８）における凸部（１９）（１９）が嵌合される。
【００２９】
端部側枠部材（１４）における、前記凸部（１９）と対向する面には、奥幅広の嵌合凹部（４７）が設けられ、弾性舌片（４８ａ）を備えるシール部材（４８）が嵌着されている。このシール部材（４８）は、端部側枠部材（１４）と前記凸部（１９）間の間隙をシールする作用をなしている。
前記中央側枠部材（１３）の内部には、ポリウレタンなどからなる吸音材（４９）が挿着されている。
【００３０】
【発明の効果】
本発明によると、次のような効果が奏せられる。
（１）  請求項１記載の発明によれば、従来、隣り合う間仕切パネルの対向側面間に間隙が存在しない場合においても、対向側面を構成する側枠自体を伝播して、間仕切パネルの前後方向の一方から他方側に漏洩していた音を、側枠を複数の側枠部材に分割し、かつ各側枠部材を緩衝材を介して連設することにより、良好に遮断することができる。すなわち、緩衝材によって、音の伝播を大きく減衰させて、高度の遮音性を得ることができる。
【００３１】
（２）  請求項２記載の発明によれば、側枠を構成する各側枠部材間の連設部における音の伝播を良好に遮断することができるとともに、各側枠部材を全体として良好に一体化させて側枠を構成することができる。
【００３２】
（３）  請求項３記載の発明によれば、連設部における緩衝材が、溝部の軸線方向に対する緩衝作用とともに、吸音性についても良好に作用する。
【００３３】
（４）  請求項４記載の発明によれば、側枠を構成する各側枠部材における音の伝播が、吸音材の挿着によって減衰され、各側枠部材の連設部における減衰と相俟って、一層良好な遮音性が得られる。
【図面の簡単な説明】
【図１】本発明の一実施形態の移動間仕切装置の正面図である。
【図２】図１におけるＩＩ〜ＩＩ線拡大横断面図である。
【図３】同じく、ＩＩＩ〜ＩＩＩ線拡大横断面図である。
【符号の説明】
（Ｐ１）（Ｐ２）（Ｐ３）間仕切パネル
（１）部屋
（２）天井
（３）レール
（４）吊支杆
（５）（６）基枠
（７）（８）側枠
（９）（１０）パネル板
（９ａ）（１０ａ）右端部
（１１）（１３）中央側枠部材
（１２）（１４）端部側枠部材
（１２ａ）内向コ字状部
（１２ｂ）連設片
（１５）（１６）（１７）緩衝材
（１８）止めねじ
（１９）凸部
（２０）中央溝部
（２１）連結部材
（２２）緩衝材
（２３）止めねじ
（２３ａ）ゴム
（２４）緩衝材
（２５）止めねじ
（２６）（２７）吸音材
（２８）化粧板
（２９）止めねじ
（３０）吸音材
（３１）緩衝材
（３２）止めねじ
（３３）中央凸部
（３４）嵌合凹部
（３５）シール部材
（３５ａ）弾性舌片
（３６）連結部材
（３７）緩衝材
（３８）止めねじ
（３８ａ）ゴム
（３９）長方形状部
（４０）馬蹄形状凸部
（４１）内向コ字状部
（４２）連設片
（４３）緩衝材
（４４）止めねじ
（４５）連設片
（４６）溝部
（４７）嵌合凹部
（４８）シール部材
（４８ａ）弾性舌片
（４９）吸音材
【図１】
2004239018.tif 000003
【図２】
2004239018.tif 000004
【図３】
2004239018.tif 000005